(57)【要約】      （修正有）【課題】太陽光発電パネルを太陽光の照射角度等の設置場所の日照条件に合わせて最適な設置傾斜角度に傾斜して設置できる受け金具を提供する。【解決手段】太陽光発電装置が、設置面ＧＬ上に載置される複数対の独立基礎ブロックＢと、各対の独立基礎ブロックＢ間に前後方向に架設された複数本のランナー受け金具Ｒと、複数本のランナー受け金具Ｒ間に左右方向に架設された２本以上の三角金具受けランナーＳと、２本以上の三角金具受けランナーＳ間に各ランナー受け金具Ｒに対応するように前後方向に架設された複数個の傾斜角度設定用三角金具Ｔと、複数個の傾斜角度設定用三角金具Ｔ間に左右方向に架設された２本以上のパネル設置用ランナーＵと、パネル設置用ランナーＵ間に前後方向に架設された複数枚の太陽光発電パネルＰとを含む。【選択図】図１
2014140302.tif 000002
【特許請求の範囲】
【請求項１】
設置面上に載置される複数対の独立基礎ブロックと、
各対の独立基礎ブロック間に架設された複数本のランナー受け金具と、
前記複数本のランナー受け金具間に架設された２本以上の三角金具受けランナーと、
前記２本以上の三角金具受けランナー間に架設された複数個の傾斜角度設定用三角金具と、
前記複数個の傾斜角度設定用三角金具間に架設された２本以上のパネル設置用ランナーと、
前記パネル設置用ランナー間に架設された複数枚の太陽光発電パネルと
から構成されることを特徴とする太陽光発電装置。
【請求項２】
前記傾斜角度設定用三角金具が、設置面に対して太陽光発電パネルの設置傾斜角度だけ傾斜した傾斜辺部，前記傾斜辺部の上端部から垂下するように延出された垂直辺部，および前記垂直辺部の下端部と前記傾斜辺部の下端部とを繋ぐ水平辺部とからなる直角三角形状に形成されていることを特徴とする請求項１記載の太陽光発電装置。
【請求項３】
前記ランナー受け金具が、前記独立基礎ブロックにアンカーボルトによって固定されていることを特徴とする請求項１または２記載の太陽光発電装置。
【請求項４】
設置面に対して太陽光発電パネルの設置傾斜角度だけ傾斜した傾斜辺部，前記傾斜辺部の上端部から垂下するように延出された垂直辺部，および前記垂直辺部の下端部と前記傾斜辺部の下端部とを繋ぐ水平辺部とからなる直角三角形状に形成されていることを特徴とする傾斜角度設定用三角金具。
【発明の詳細な説明】
【技術分野】
【０００１】
本発明は太陽光発電装置および傾斜角度設定用三角金具に関し、さら詳しくは据置型で効率よく太陽光発電を行うことができる太陽光発電装置およびそれに用いられる傾斜角度設定用三角金具に関する。
【背景技術】
【０００２】
近年、太陽の光エネルギーを利用した太陽光発電は、エコロジーの一環として、世界各国で利用が進められており、未来のエネルギーとしての期待も大きい。今後、太陽光発電パネル自体の改良も進むものと思われ、ますます重要性が増すことが見込まれている。しかし、我国でもエコロジーはもとよりＣＯ２の削減を目標に国も補助金等を拠出して太陽光発電装置の普及を推進しているが、伸び悩んでいるのが現状である。その理由として、費用も一因であるが、太陽光発電装置の設置場所の問題が原因で設置が不可能となっている場合も多いと思われる。そこで、建物の屋上や工場の敷地等の比較的狭い設置場所でも設置できる据置型の太陽光発電装置が注目されている。据置型の太陽光発電装置は、広大な敷地を必要とせず、狭い設置スペースで効率よく大容量の太陽光発電を行うことができるという利点がある。
【０００３】
ところで、従来の据置型の太陽光発電装置では、太陽光発電パネルは、四隅から垂下された４本の脚部によって支持されたり（例えば、特許文献１参照）、さらに隣接する脚部間の外周部を保護板で覆ったりして（例えば、特許文献２参照）、設置されていた。
【先行技術文献】
【特許文献】
【０００４】
【特許文献１】特開２０１０−１９２７７７号公報
【特許文献２】特開平８−２７４３８４号公報
【発明の開示】
【発明が解決しようとする課題】
【０００５】
特許文献１に開示された太陽光発電装置では、太陽光発電パネルが四隅から垂下された４本の脚部によって支持されていたので、太陽光発電パネル自体が架台の一部を構成しており、風で吹き飛ばされやすいばかりでなく、構造的に弱く、強い外力が作用すると変形するおそれがあるという問題点があった。
【０００６】
また、特許文献２に開示された太陽光発電装置では、相隣接する脚部間の外周部が保護板で覆われていたので、風で吹き飛ばされるおそれは少なくなるものの、保護板のために全体の重量が重くなり、かつ大型化するという問題点があった。
【０００７】
さらに、特許文献１および特許文献２に開示された太陽光発電装置では、太陽光発電パネルの設置傾斜角度を変更するためには、架台そのものを異なる設置傾斜角度に合わせて製作し直す必要があり、太陽光の照射角度等の設置場所の日照条件に合わせて太陽光発電パネルの設置傾斜角度を変更することが容易でないという問題点があった。
【０００８】
本発明の目的は、上述の点に鑑み、複数種類の設置傾斜角度の異なる傾斜角度設定用三角金具を予め用意することにより、太陽光の照射角度等の設置場所の日照条件に合わせて太陽光発電パネルを最適な設置傾斜角度に傾斜して容易に設置できるようにした太陽光発電装置を提供することにある。
【０００９】
また、本発明の他の目的は、複数種類の設置傾斜角度の異なる傾斜角度設定用三角金具を予め用意することにより、太陽光の照射角度等の設置場所の日照条件に合わせて太陽光発電パネルを最適な設置傾斜角度に傾斜して容易に設置できるようにした傾斜角度設定用三角金具を提供することにある。
【課題を解決するための手段】
【００１０】
請求項１記載の太陽光発電装置は、設置面上に載置される複数対の独立基礎ブロックと、各対の独立基礎ブロック間に前後方向に架設された複数本のランナー受け金具と、前記複数本のランナー受け金具間に左右方向に架設された２本以上の三角金具受けランナーと、前記２本以上の三角金具受けランナー間に前後方向に架設された複数個の傾斜角度設定用三角金具と、前記複数個の傾斜角度設定用三角金具間に左右方向に架設された２本以上のパネル設置用ランナーと、前記パネル設置用ランナー間に前後方向に架設された複数枚の太陽光発電パネルとから構成されることを特徴とする。
【００１１】
請求項２記載の太陽光発電装置は、請求項１記載の太陽光発電装置において、前記傾斜角度設定用三角金具が、設置面に対して太陽光発電パネルの設置傾斜角度だけ傾斜した傾斜辺部，前記傾斜辺部の上端部から垂下するように延出された垂直辺部，および前記垂直辺部の下端部と前記傾斜辺部の下端部とを繋ぐ水平辺部とからなる直角三角形状に形成されていることを特徴とする。
【００１２】
請求項３記載の太陽光発電装置は、請求項１または２に記載の太陽光発電装置において、各ランナー受け金具が、各対の独立基礎ブロック間にアンカーボルトによって前後方向に固定されていることを特徴とする。
【００１３】
請求項４記載の傾斜角度設定用三角金具は、設置面に対して太陽光発電パネルの設置傾斜角度だけ傾斜した傾斜辺部，前記傾斜辺部の上端部から垂下するように延出された垂直辺部，および前記垂直辺部の下端部と前記傾斜辺部の下端部とを繋ぐ水平辺部とからなる直角三角形状に形成されていることを特徴とする。
【発明の効果】
【００１４】
請求項１記載の太陽光発電装置によれば、設置面上に載置される複数対の独立基礎ブロックと、各対の独立基礎ブロック間に架設された複数本のランナー受け金具と、複数本のランナー受け金具間に架設された２本以上の三角金具受けランナーと、２本以上の三角金具受けランナー間に架設された複数個の傾斜角度設定用三角金具と、複数個の傾斜角度設定用三角金具間に架設された２本以上のパネル設置用ランナーと、パネル設置用ランナー間に架設された複数枚の太陽光発電パネルとから構成されることにより、新設または既設の建物の屋根や壁面等に取り付けるのではなく、設置面に独立して載置するため、雨漏り、構造補強等の心配がないばかりか、設置後の保守が容易であるという効果がある。また、機能アップした太陽光発電パネルが発売されたときや、太陽光発電パネル自体の修理の場合にも交換が容易であるという効果がある。
【００１５】
請求項２記載の太陽光発電装置によれば、傾斜角度設定用三角金具が、設置面に対して太陽光発電パネルの設置傾斜角度だけ傾斜した傾斜辺部，傾斜辺部の上端部から垂下するように延出された垂直辺部，および垂直辺部の下端部と傾斜辺部の下端部とを繋ぐ水平辺部とからなる直角三角形状に形成されているので、太陽光発電パネルを太陽光の照射角度に対して対向するように設置することができ、太陽光の利用効率を高めることができるという効果がある。
【００１６】
請求項３記載の太陽光発電装置によれば、ランナー受け金具が、独立基礎ブロックにアンカーボルトによって固定されているので、太陽光発電パネルを十分な強度で支えることができるとともに、風によって吹き飛ばされるというおそれが低下するという効果がある。
【００１７】
請求項４記載の傾斜角度設定用三角金具は、設置面に対して太陽光発電パネルの設置傾斜角度だけ傾斜した傾斜辺部，傾斜辺部の上端部から垂下するように延出された垂直辺部，および垂直辺部の下端部と傾斜辺部の下端部とを繋ぐ水平辺部とからなる直角三角形状に形成されているので、複数種類の設置傾斜角度の異なる傾斜角度設定用三角金具を予め用意することにより、太陽光の照射角度等の設置場所の日照条件に合わせて太陽光発電パネルを最適な設置傾斜角度に傾斜して設置することができる。
【図面の簡単な説明】
【００１８】
【図１】（ａ）ないし（ｃ）は本発明の実施例１に係る太陽光発電装置の平面図、正面図および側面図である。
【図２】（ａ）および（ｂ）は図１中の太陽光発電パネルの正面図および側面図である。
【図３】（ａ）および（ｂ）は図１中の独立基礎ブロックを示す平面図および側面図である。
【図４】（ａ）ないし（ｄ）は図１中のランナー受け金具の平面図、底面図、側面図および断面図である。
【図５】（ａ）ないし（ｄ）は図１中の傾斜角度設定用三角金具を示す側面図、平面図、底面図および部分断面図である。
【図６】（ａ）および（ｂ）は傾斜角度設定用三角金具を使用して太陽光発電パネルを設置した状態を示す側面図および部分正面図である。
【図７】実施例２に係る太陽光発電装置における異なる設置傾斜角度を有する傾斜角度設定用三角金具を使用して太陽光発電パネルを設置した状態を示す側面図である。
【図８】実施例３に係る太陽光発電装置におけるさらに異なる設置傾斜角度を有する傾斜角度設定用三角金具を使用して太陽光発電パネルを設置した状態を示す側面図である。
【発明を実施するための形態】
【００１９】
以下、本発明の実施例について、図面を参照しながら詳細に説明する。
【実施例１】
【００２０】
図１（ａ）ないし（ｃ）は、本発明の実施例１に係る太陽光発電装置の平面図,正面図および側面図である。本実施例１に係る太陽光発電装置は、ビルディング等の比較的大きな建物の屋上や基礎コンクリートで固められた平坦な設置場所等の設置面ＧＬに対して据え置かれ、比較的狭い設置スペースで大容量の太陽光発電を行うためのものである。
【００２１】
詳しくは、実施例１に係る太陽光発電装置は、設置面ＧＬ上に前後方向（図１（ａ）で見て上下方向。以下同様）に所定の間隔を開けて５個ずつ２列に載置された５対の独立基礎ブロックＢと、各対の独立基礎ブロックＢ間に前後方向に架設された５本のランナー受け金具Ｒと、５本のランナー受け金具Ｒの前後端寄り間に左右方向（図１（ａ）で見て左右方向。以下同様）に架設された２本の三角金具受けランナーＳと、２本の三角金具受けランナーＳに各ランナー受け金具Ｒと対応するように前後方向に架設された５個の傾斜角度設定用三角金具Ｔと、５個の傾斜角度設定用三角金具Ｔの前後端寄り間に左右方向に架設された２本のパネル設置用ランナーＵと、２本のパネル設置用ランナーＵ間に前後方向に架設された８枚の太陽光発電パネルＰとから、その主要部が構成されている。
【００２２】
図２（ａ）および（ｂ）を参照すると、太陽光発電パネルＰは、６×１２枚の太陽電池（太陽光発電モジュール）を直並列接続して必要な電圧および電流を得られるようにしたものである。太陽光発電パネルＰの発電量は、例えば、１枚当たり約０．２ＫＷとなる。なお、１枚の太陽光発電パネルＰにおいて直並列接続される太陽電池の枚数は、発電量に応じて任意に設定することが可能である。また、複数枚の太陽光発電パネルを連設して１枚の太陽光発電パネルＰとすることも可能である。
【００２３】
図３（ａ）および（ｂ）を参照すると、独立基礎ブロックＢは、２本のＪ字型のアンカーボルトＢ１が中央位置に左右対称となるように予め埋設された正立方体コンクリートブロックでなる。独立基礎ブロックＢの上面からは、２本のアンカーボルトＢ１の上端部が対向するように突設されている。
【００２４】
図４（ａ）〜（ｄ）を参照すると、ランナー受け金具Ｒは、底面壁に左右一対ずつ４個のアンカーボルト固定用透孔Ｒ１が穿設され、上面壁に左右一対のランナー固定用透孔Ｒ２が穿設された、断面コ字状の長尺部材で形成されている。
【００２５】
図５（ａ）〜（ｄ）を参照すると、傾斜角度設定用三角金具Ｔは、設置面ＧＬに対して太陽光発電パネルＰの設置傾斜角度３０°だけ傾斜した傾斜辺部，傾斜辺部の上端部から垂下するように延出された垂直辺部，および垂直辺部の下端部と傾斜辺部の下端部とを繋ぐ水平辺部とからなる直角三角形状に形成されている。具体的には、傾斜角度設定用三角金具Ｔは、側面から見て９０°,６０°および３０°の内角を有する直角三角形状に形成されている。すなわち、傾斜角度設定用三角金具Ｔは、６０°の頂点と３０°の頂点と結ぶ傾斜辺部と、９０°の頂点と６０°の頂点と結ぶ垂直辺部と、９０°の頂点と３０°の頂点と結ぶ水平辺部とからなる直角三角形状に形成されている。
【００２６】
図５（ｂ）〜（ｄ）に示すように、傾斜角度設定用三角金具Ｔは、左右の三角枠体Ｔ１およびＴ２が、互いにロウ付けされて形成されている。三角枠体Ｔ１およびＴ２は、側面から見える半部と正面から見える半部とが直角に折り曲げられて形成されていて、縦中央面で面対称となっている。三角枠体Ｔ１およびＴ２は、側面から見える半部同士がロウ付けによって一体化されている。
【００２７】
左方の三角枠体Ｔ１の水平辺部には、図５（ｃ）に示すように、後端寄りにランナー固定用透孔Ｔ１ａが穿設され、前端寄りにランナー固定用透孔Ｔ１ｂが穿設されている。
【００２８】
同様に、左方の三角枠体Ｔ１の傾斜辺部には、図５（ｂ）に示すように、後端寄りにランナー固定用透孔Ｔ１ｃが穿設され、前端寄りにランナー固定用透孔Ｔ１ｄが穿設されている。
【００２９】
右方の三角枠体Ｔ２の水平辺部には、図５（ｃ）に示すように、後端寄りにランナー固定用透孔Ｔ２ａが穿設され、前端寄りにランナー固定用透孔Ｔ２ｂが穿設されている。
【００３０】
同様に、右方の三角枠体Ｔ２の傾斜辺部には、図５（ｂ）に示すように、後端寄りにランナー固定用透孔Ｔ２ｃが穿設され、前端寄りにランナー固定用透孔Ｔ２ｄが穿設されている。
【００３１】
図６（ａ）および（ｂ）は、傾斜角度設定用三角金具Ｔを使用して太陽光発電パネルＰを設置した状態を示す側面図および部分正面図である。実施例１に係る太陽光発電装置では、５対の独立基礎ブロックＢが設置面ＧＬ上に載置され、２本のランナー受け金具Ｒが各対の独立基礎ブロックＢ間に架設され、２本の三角金具受けランナーＳが５本のランナー受け金具Ｒ間に架設され、５個の傾斜角度設定用三角金具Ｔが２本の三角金具受けランナーＳ間に各ランナー受け金具Ｒに対応するように架設され、２本のパネル設置用ランナーＵが５個の傾斜角度設定用三角金具Ｔ間に架設され、８枚の太陽光発電パネルＰがパネル設置用ランナーＵ間に架設されている。
【００３２】
次に、このように構成された実施例１に係る太陽光発電装置の設置方法について説明する。
【００３３】
まず、１０個の独立基礎ブロックＢを、図１（ａ）に示すように、設置面ＧＬに左右方向の前後２本の平行線上に前後方向に一対ずつとなるようにそれぞれ載置する。上記平行線は、太陽光発電パネルＰを向ける設置方位角度と対向するように設定される。日本では、設置方位角度は、真南に設定されることが一般的であるので、上記平行線は東西方向の平行線となることが望ましい。すなわち、実施例１に係る太陽光発電装置の左右方向は、東西方向と一致するように設定されることが好ましい。このとき、各独立基礎ブロックＢは、その一対のアンカーボルトＢ１が対をなす他方の独立基礎ブロックＢの一対のアンカーボルトＢ１と前後方向に一直線をなすように載置される。
【００３４】
次に、独立基礎ブロックＢから突設されている前後２本のアンカーボルトＢ１の先端部に５本のランナー受け金具Ｒの前後一対ずつのランナー固定用透孔Ｒ１を挿通し、ランナー受け金具Ｒの内側からアンカーボルトＢ１の先端部にナットを螺合することによって、１０個の独立基礎ブロックＢに５本のランナー受け金具Ｒをそれぞれ固定する。これにより、５本のランナー受け金具Ｒが、５対の独立基礎ブロックＢ間に前後方向に架設される。
【００３５】
続いて、５本のランナー受け金具Ｒのランナー固定用透孔Ｒ２に２本の三角金具受けランナーＳの透孔（図示せず）を位置合わせし、ボルトおよびナットを螺合することによって、２本の三角金具受けランナーＳを５本のランナー受け金具Ｒ間にそれぞれ固定する。これにより、２本の三角金具受けランナーＳが、５本のランナー受け金具Ｒの前後端寄り間に架設される。
【００３６】
次に、２本の三角金具受けランナーＳの透孔（図示せず）に５個の傾斜角度設定用三角金具Ｔの水平辺部のランナー固定用透孔Ｔ１ａ，Ｔ２ａおよびランナー固定用透孔Ｔ１ｂ，Ｔ２ｂを位置合わせし、ボルトおよびナットを螺合することによって、５個の傾斜角度設定用三角金具Ｔを２本の三角金具受けランナーＳにそれぞれ固定する。これにより、５個の傾斜角度設定用三角金具Ｔが２本の三角金具受けランナーＳ間に架設される。
【００３７】
続いて、５個の傾斜角度設定用三角金具Ｔの傾斜辺部のランナー固定用透孔Ｔ１ｃ，Ｔ２ｃおよびランナー固定用透孔Ｔ１ｄ，Ｔ２ｄに２本のパネル設置用ランナーＵの透孔（図示せず）を位置合わせし、ボルトおよびナットを螺合することによって、２本のパネル設置用ランナーＵを５個の傾斜角度設定用三角金具Ｔにそれぞれ固定する。このとき、各傾斜角度設定用三角金具Ｔは、各ランナー受け金具Ｒに対応するように固定されている。これにより、２本のパネル設置用ランナーＵが５個の傾斜角度設定用三角金具Ｔの前後端寄り間にそれぞれ架設される。
【００３８】
そして、２本のパネル設置用ランナーＵの透孔（図示せず）に８枚の太陽光発電パネルＰの透孔（図示せず）を位置合わせし、ボルトおよびナットを螺合することによって、８枚の太陽光発電パネルＰを前後方向に縦長となるように２本のパネル設置用ランナーＵにそれぞれ固定する。これにより、８枚の太陽光発電パネルＰが２本のパネル設置用ランナーＵ間に左右方向に順次並ぶように架設される。
【００３９】
この後、８枚の太陽光発電パネルＰに必要な配線等を施して、実施例１に係る太陽光発電装置の設置が完了する。
【００４０】
以上説明したように、実施例１によれば、５個の傾斜角度設定用三角金具Ｔに架設された２本のパネル設置用ランナーＵ間に、太陽光発電パネルＰを前後方向に縦長となるように左右方向に８枚並べて架設するようにしたので、太陽光の照射角度等の設置場所の日照条件に合わせて太陽光発電パネルＰを設置傾斜角度３０°に傾斜して設置できるという効果がある。
【００４１】
なお、実施例１では、太陽光発電パネルＰを左右方向に８枚並べるようにしたが、並べる太陽光発電パネルＰの枚数を増減することにより、太陽光発電装置の１台当たりの発電量を容易に増減することができる。
【００４２】
また、実施例１では、三角金具受けランナーＳおよびパネル設置用ランナーＵをそれぞれ２本としたが、三角金具受けランナーＳおよびパネル設置用ランナーＵは、２本以上であれば何本であっても、本発明を同様に実施することができる。
【実施例２】
【００４３】
図７は、本発明の実施例２に係る太陽光発電装置における異なる設置傾斜角度を有する傾斜角度設定用三角金具Ｔ’を使用して太陽光発電パネルＰを設置した状態を示す側面図である。
【００４４】
傾斜角度設定用三角金具Ｔ’は、側面から見て９０°,５５°および３５°の内角を有する直角三角形状に形成されている。すなわち、傾斜角度設定用三角金具Ｔ’は、５５°の頂点と３５°の頂点と結ぶ傾斜辺部と、９０°の頂点と５５°の頂点と結ぶ垂直辺部と、９０°の頂点と３５°の頂点と結ぶ水平辺部とからなる直角三角形状に形成されている。
【００４５】
このように構成された実施例２に係る太陽光発電装置における傾斜角度設定用三角金具Ｔ’を使用すれば、太陽光発電パネルＰが設置面ＧＬに対して設置傾斜角度３５°で設置されるので、実施例１に係る太陽光発電装置における傾斜角度設定用三角金具Ｔを使用した場合に比べて、太陽高度がより低い設置場所に太陽光発電装置を設置して、実施例１に係る太陽光発電装置によりも発電効率を向上させることができる。
【実施例３】
【００４６】
図８は、本発明の実施例３に係る太陽光発電装置における他の異なる設置傾斜角度を有する傾斜角度設定用三角金具Ｔ”を使用して太陽光発電パネルＰを設置した状態を示す側面図である。
【００４７】
傾斜角度設定用三角金具Ｔ”は、側面から見て９０°,５０°および４０°の内角を有する直角三角形状に形成されている。すなわち、傾斜角度設定用三角金具Ｔ”は、５０°の頂点と４０°の頂点と結ぶ傾斜辺部と、９０°の頂点と５０°の頂点と結ぶ垂直辺部と、９０°の頂点と４０°の頂点と結ぶ水平辺部とからなる直角三角形状に形成されている。
【００４８】
このように構成された実施例３に係る太陽光発電装置における傾斜角度設定用三角金具Ｔ”を使用すれば、太陽光発電パネルＰが設置面ＧＬに対して設置傾斜角度４０°で設置されるので、実施例１および２に係る太陽光発電装置における傾斜角度設定用三角金具ＴおよびＴ’を使用した場合に比べて、太陽高度がより低い設置場所に太陽光発電装置を設置して、実施例１および２に係る太陽光発電装置によりも発電効率を向上させることができる。
【００４９】
なお、各実施例１〜３に示した傾斜角度設定用三角金具Ｔ，Ｔ’およびＴ”は、単なる一例であり、太陽光の照射角度等の設置場所の日照条件に応じて最大の発電効率が得られる設置傾斜角度の傾斜角度設定用三角金具Ｔを選択して使用することができる。このように、複数種類の傾斜角度設定用三角金具Ｔ，Ｔ’およびＴ”を予め用意し、設置場所の太陽光の照射角度（日本では最大６０°）に合わせて傾斜角度設定用三角金具Ｔ，Ｔ’およびＴ”のいずれかを選択することにより、太陽光発電パネルＰを設置面ＧＬより約３０°〜４０°の設置傾斜角度で設置することができ、最大日射量の約９８％以上の太陽光を太陽光発電パネルＰに照射させることができる。
【００５０】
以上、本発明の各実施例について説明したが、これらはあくまでも例示にすぎず、本発明はこれらに限定されるものではなく、特許請求の範囲の趣旨を逸脱しない限りにおいて、当業者の知識に基づく種々の変更が可能である。
【００５１】
例えば、設置スペースさえあれば、各実施例に係る太陽光発電装置を何台でも設置可能である。また、独立した太陽光発電装置のため、地耐力さえあれば、そのような場所でも何台でも設置可能で、所望の発電量を得ることができる。なお、地耐力の弱い場所でも、地盤改良等を行えば、太陽光発電装置を設置することが可能である。
【符号の説明】
【００５２】
Ｂ  独立基礎ブロック
Ｂ１  アンカーボルト
ＧＬ  設置面
Ｐ  太陽光発電パネル
Ｒ  ランナー受け金具
Ｒ１，Ｒ２  ランナー固定用透孔
Ｓ  三角金具受けランナー
Ｔ，Ｔ’，Ｔ”  傾斜角度設定用三角金具
Ｔ１，Ｔ２  三角枠体
Ｔ１ａ，Ｔ１ｂ，Ｔ１ｃ，Ｔ１ｄ    ランナー固定用透孔
Ｔ２ａ，Ｔ２ｂ，Ｔ２ｃ，Ｔ２ｄ    ランナー固定用透孔
Ｕ  パネル設置用ランナー
【図１】
2014140302.tif 000003
【図２】
2014140302.tif 000004
【図３】
2014140302.tif 000005
【図４】
2014140302.tif 000006
【図５】
2014140302.tif 000007
【図６】
2014140302.tif 000008
【図７】
2014140302.tif 000009
【図８】
2014140302.tif 000010